(57)【要約】【課題】照明部への着雪によって照明光が遮られにくい除雪機を提供する。【解決手段】前照灯２０を備えた作業機１０であって、前照灯２０は、ＬＥＤモジュール２６と、ＬＥＤモジュール２６を収容するケース２２と、ケース２２の一面に配置された透光性のカバー２４とを有し、ケース２２においてカバー２４が配置された前面２２Ａは、平坦であり、下向きに傾斜した面である。【選択図】図１
2019027108.tif 000002
【特許請求の範囲】
【請求項１】
照明部を備えた除雪機であって、
前記照明部は、光源と、前記光源を収容するケースと、前記ケースの一面に配置された透光性のカバーとを有し、
前記ケースにおいて前記カバーが配置された面は、平坦であり、下向きに傾斜した面であることを特徴とする除雪機。
【請求項２】
前記カバーは、前記光源から前記カバーに入射する光を下向きに屈折させて出射することを特徴とする請求項１に記載の除雪機。
【請求項３】
前記カバーは、前記ケースの前面に配置され、
前記ケースの側面に、前記光源が発する光を出射するスリットが設けられたことを特徴とする請求項１又は２に記載の除雪機。
【請求項４】
前記カバーは、前記ケースの内部に挿入される突出部を備え、
前記突出部は、前記ケースの内部から前記スリットに嵌合して、前記カバーを前記ケースに固定することを特徴とする請求項３に記載の除雪機。
【請求項５】
前記ケースにおいて前記スリットが形成された面は、平坦であり、下向きに傾斜した面であることを特徴とする請求項３又は４に記載の除雪機。
【請求項６】
前記除雪機の本体の前部に除雪作業部を備え、
前記照明部は、前記除雪作業部を含む範囲を照明することを特徴とする請求項１乃至６のいずれか一項に記載の除雪機。
【発明の詳細な説明】
【技術分野】
【０００１】
本発明は、照明部を備えた除雪機に関する。
【背景技術】
【０００２】
従来、前照灯を有する除雪機が知られている（例えば、特許文献１参照）。
【先行技術文献】
【特許文献】
【０００３】
【特許文献１】特開２０１４−７０３６６号公報
【発明の概要】
【発明が解決しようとする課題】
【０００４】
特許文献１に記載されるように、除雪機に、前照灯などの照明部を設置した場合、照明部への着雪により照明光が遮られることがあった。
そこで、本発明は、照明部への着雪によって照明光が遮られにくい除雪機を提供することを目的とする。
【課題を解決するための手段】
【０００５】
上記目的を達成するために、本発明は、照明部を備えた除雪機であって、前記照明部は、光源と、前記光源を収容するケースと、前記ケースの一面に配置された透光性のカバーとを有し、前記ケースにおいて前記カバーが配置された面は、平坦であり、下向きに傾斜した面であることを特徴とする。この構成によれば、照明部のカバーへの着雪を抑制することができ、着雪により照明光が遮られる状態を生じにくい除雪機を実現できる。
【０００６】
上記構成において、前記カバーは、前記光源から前記カバーに入射する光を下向きに屈折させて出射することを特徴とする。この構成によれば、光源が発する光をカバーにより下向きに屈折させて照射することができる。このため、除雪機において照明部より下方を中心として、効果的に照明することができる。
【０００７】
また、上記構成において、前記カバーは前記ケースの前面に配置され、前記ケースの側面に、前記光源が発する光を出射するスリットが設けられたことを特徴とする。この構成によれば、ケースの前面に配置されたカバーと側面に設けられたスリットから、光を照射できる。これにより、照明部から複数の方向に光を照射し、除雪機の周囲の広い範囲を照明することができる。
【０００８】
また、上記構成において、前記カバーは前記ケースの内部に挿入される突出部を備え、前記突出部は、前記ケースの内部から前記スリットに嵌合して、前記カバーを前記ケースに固定することを特徴とする。この構成によれば、簡易な構成によってカバーをケースに固定できる。
【０００９】
また、上記構成において、前記ケースにおいて前記スリットが形成された面は、平坦であり、下向きに傾斜した面であることを特徴とする。この構成によれば、スリットが形成された面への着雪を抑制することができ、スリットから照射される照明光が着雪で遮られる状態を回避できる。
【００１０】
また、上記構成において、前記除雪機の本体の前部に除雪作業部を備え、前記照明部は、前記除雪作業部を含む範囲を照明することを特徴とする。この構成によれば、除雪作業部を含む範囲の視認性を高めることができ、除雪作業中の作業性の向上を図ることができる。
【発明の効果】
【００１１】
本発明によれば、照明部のカバーへの着雪を抑制することができ、着雪により照明光が遮られる状態を生じにくい除雪機を実現できる。
【図面の簡単な説明】
【００１２】
【図１】本発明の実施形態に係る除雪機の側面図である。
【図２】前照灯の斜視図である。
【図３】（Ａ）は前照灯の正面図、（Ｂ）は前照灯の側面図である。
【図４】（Ａ）は図３（Ａ）のＡ−Ａ線における要部断面図、（Ｂ）は図３（Ａ）のＢ−Ｂ線における要部断面図である。
【図５】除雪機の平面図である。
【図６】除雪機の斜視図である。
【発明を実施するための形態】
【００１３】
以下、図面を参照して本発明の実施形態について説明する。
図１は本発明の実施形態に係る作業機１０の側面図である。以下の説明において、前後、左右、及び上下の各方向を示す記載は、設置面Ｇｒに設置される設置状態、或いは設置面Ｇｒを走行する作業状態における作業機１０を基準とした各方向を指す。図中、作業機１０の前方向を符号ＦＲで示し、後方向を符号ＲＲで示し、上方向を符号ＵＰで示し、下方向をＤＮで示す。また、作業機１０の左方向を符号ＬＨで示し、右方向をＲＨで示す。
【００１４】
図１に示すように、作業機１０は、作業機１０の本体（車体フレーム）に相当する機体１１に、動力源１２と走行装置１３と除雪作業部１４と操作パネル１５（操作装置とも称する）とを備えた自走式除雪機（歩行型除雪機とも称する）である。除雪作業部１４は、機体１１の前部に配置され、後述するオーガハウジング４１、及びシュータ４５などを含む。
【００１５】
操作パネル１５は、作業機１０を動作させるための各種スイッチ、レバー、ボタン等の操作子を有する。例えば、操作パネル１５は、前照灯２０の点灯／消灯を切り替えるスイッチを備える。
【００１６】
機体１１の後部から後方上部へ操作ハンドル１６が延びている。除雪作業を行う作業者（操縦者、運転者とも称する）は、作業機１０の後方（ＲＲ側）にて操作ハンドル１６を把持し、作業機１０に連れて歩行しながら作業機１０を操縦する。図には、作業機１０の進行方向を符号Ｆｒで示し、進行方向Ｆｒとは反対側の方向を符号Ｒｒで示す。
【００１７】
動力源１２は、作業機１０の前後方向における略中央に設けられ、この動力源１２の前上部から左右に間隔を空けて一対のアーム１７が立設する。これらアーム１７の上端に、照明光を照射する前照灯２０（照明部）が支持される。
【００１８】
動力源１２は、走行装置１３と除雪作業部１４を駆動するものであり、不図示の電動モータ及びエンジンを有する。電動モータは、作業機１０を制御する制御部（不図示）の制御の下、走行装置１３を駆動する。本構成では、作業機１０は、左右に間隔を空けてクローラ式の走行装置１３を備え、各走行装置１３を、減速機構を介してそれぞれ異なる電動モータで駆動する。
【００１９】
エンジンは、内燃機関であり、制御部の制御の下、不図示の変速機を介して除雪作業部１４を駆動する。エンジンの駆動軸には不図示の発電機が設けられる。発電機によって発電された電力は、作業機１０が有する電装部品に供給される。電装部品は、具体的には、前照灯２０、不図示のバッテリ、不図示の電動モータ等である。なお、走行装置１３は、エンジンによって駆動される構成でもよい。
【００２０】
図１に示すように、除雪作業部１４は、オーガハウジング４１と、オーガハウジング４１の後部に連結されるブロアハウジング４２と、オーガハウジング４１内に設けられたオーガ４３と、ブロアハウジング４２内に設けられたブロア（不図示）と、ブロアハウジング４２から上方へ延びたシュータ４５とを備える。
オーガハウジング４１は、オーガ４３の上方、後方及び左右両側を覆うカバーであり、オーガ４３の前方及び下方を露出した状態でオーガ４３を覆う。
【００２１】
オーガ４３は、変速機によって回転駆動され、作業機１０前方の雪を掻き取る。制御部の制御の下、オーガ４３によって掻き取られた雪をブロアがシュータ４５に供給し、シュータ４５によって雪を離れた位置に飛ばす。つまり、シュータ４５は、オーガ４３によって掻き集めた雪を作業機１０から離れた位置に投雪する投雪部として機能する。
【００２２】
シュータ４５は、設置面Ｇｒに対して、垂直方向に延びる軸線周りに回転可能に設けられ、不図示のシュータ駆動モータによって回転駆動される。シュータ４５が回転することによって、投雪方向を前後左右の任意の方向に調整可能である。
【００２３】
シュータ４５の上端部には、シュータガイド４８が設けられる。シュータガイド４８は、上下にスイング自在に取り付けられ、上下方向の角度（つまり、投雪角度）を調整可能である。シュータガイド４８は、不図示のガイド駆動モータによって投雪角度が制御される。
作業機１０は、左右の走行装置１３によって前進走行しつつ、前部のオーガ４３によって雪を掻き集め、掻き集めた雪をブロアによってシュータ４５を介して遠くへ飛ばすことができる。
【００２４】
操作ハンドル１６は、作業者が把持するグリップ６１と、左右の旋回操作レバー６２とをそれぞれ有している。さらに、左の操作ハンドル１６は、走行準備レバー６３を有している。作業者は、走行準備レバー６３を握ってグリップ６１側に下げる操作を行っている場合に、走行装置１３と除雪作業部１４を駆動することができる。また、作業者は、左又は右の旋回操作レバー６２を握っているときに、握っている方へ作業機１０を旋回することができる。
【００２５】
前照灯２０は、ケース２２と、ケース２２の前面２２Ａに配置されるカバー２４と、ケース２２に収容される光源としてのＬＥＤモジュール２６とを備える。ケース２２は、前面２２Ａが前方（ＦＲ方向）を向くように、一対のアーム１７に取り付けられる。前照灯２０は、ＬＥＤモジュール２６が発する光をカバー２４から照射することにより、作業機１０の前方を照明する。
【００２６】
前照灯２０の位置は、除雪作業部１４よりも後方、且つ、オーガハウジング４１よりも上方（ＵＰ側）である。このため、前照灯２０は除雪作業部１４の上方かつ後方から、除雪作業部１４を含む範囲、好ましくはオーガハウジング４１の前方を含む範囲に向けて照明光を照射する。
【００２７】
図２は、前照灯２０の斜視図である。図３（Ａ）は、前照灯２０の正面図であり、図３（Ｂ）は、前照灯２０の側面図である。
【００２８】
ケース２２は、前照灯２０の筐体に相当する。ケース２２は、例えば合成樹脂製であり、略箱型に形成され、内部は中空である。ケース２２の前面２２Ａには、開口部２２Ｂが形成され、側面２２Ｄにはスリット２２Ｅが形成されている。ケース２２は、図２に現れる側面２２Ｄと、この側面２２Ｄの反対側に位置する側面２２Ｄとのそれぞれに、スリット２２Ｅを有する。開口部２２Ｂ及びスリット２２Ｅは、ケース２２の内外を貫通する。
【００２９】
カバー２４は、透光性を有する材料（例えば、合成樹脂、ガラス、各種結晶等）で構成され、ケース２２に装着された状態で、ＬＥＤモジュール２６が発する光を透過して前照灯２０の外に放射する。カバー２４は、詳細は後述するが、開口部２２Ｂに嵌合するカバー前部２４Ａ、及び、スリット２２Ｅに嵌合する突起２４Ｃ（突出部）を有する。
【００３０】
開口部２２Ｂは、前面２２Ａの大部分を占める開口面積を有する孔である。ケース２２にカバー２４を取り付けた場合、開口部２２Ｂはカバー前部２４Ａにより閉塞される。スリット２２Ｅは、上下方向に延びる長孔である。スリット２２Ｅには、ケース２２の内部から突起２４Ｃが嵌め込まれ、突起２４Ｃによりスリット２２Ｅが閉塞される。このように、開口部２２Ｂ及びスリット２２Ｅはカバー２４を取り付けることで塞がれるので、水や塵埃の侵入を防止できる。
【００３１】
前照灯２０は、カバー前部２４Ａを透過した照明光を前面２２Ａから照射し、突起２４Ｃを透過した照明光を側面２４Ｄから照射する。このため、前面２２Ａ及び側面２４Ｄを、前照灯２０の照射面と呼ぶことができる。
【００３２】
カバー前部２４Ａの表面と、開口部２２Ｂの周縁部との間は、ほぼ段差のない状態であり、好ましくは面一である。このため、前面２２Ａは全体として平坦な、フラットな構造であり、具体的には突起や凹凸を有しない平面または曲面である。また、ケース２２の２つの側面２２Ｄにおいて、突起２４Ｃの表面と、スリット２２Ｅの周縁部との間は、ほぼ段差のない状態であり、好ましくは面一である。２つの側面２２Ｄのそれぞれは全体として平坦な、フラットな構造であり、具体的には突起や凹凸を有しない平面または曲面である。
【００３３】
図３（Ａ）及び図３（Ｂ）には、鉛直面ＶＰ１、ＶＰ２を破線で示す。鉛直面ＶＰ１、ＶＰ２は、例えば設置面Ｇｒ（図１）に垂直、或いは垂直に近い仮想の平面である。
図３（Ａ）に示すように、側面２２Ｄは、鉛直面ＶＰ１に対して、下方（ＤＮ方向）を向くように傾いている。側面２２Ｄの傾き（傾斜角）θ１の大きさは任意であるが、例えば、θ１は１５°以上２０°以下の範囲から選択すればよい。また、図３（Ａ）に示すように、本実施形態では、鉛直面ＶＰ１に対する右側（ＲＨ側）の側面２２Ｄの傾斜角と、左側（ＬＨ側）の側面２２Ｄの傾斜角とが等しい構成を例示するが、異なる角度であってもよい。
また、ケース２２の上面２２Ｃ及び底面２２Ｇの状態は任意であるが、平坦な面であることが好ましく、例えば平面とすることができる。
【００３４】
図３（Ｂ）に示すように、前面２２Ａは、鉛直面ＶＰ２に対して、下方を向くように傾いている。前面２２Ａの傾き（傾斜角）θ２の大きさは任意であるが、例えば、θ２は１５°以上２０°以下の範囲から選択すればよい。また、ケース２２の背面２２Ｆの状態および傾きは任意であるが、平坦な面であることが好ましく、例えば図３（Ｂ）に示すように、鉛直面ＶＰ２に平行な面であってもよい。
【００３５】
図４は、前照灯２０の構成を示す図であり、図４（Ａ）は図３（Ａ）のＡ−Ａ線における要部断面図であり、図４（Ｂ）は図３（Ａ）のＢ−Ｂ線における要部断面図である。
ＬＥＤモジュール２６は、基板２８と、基板２８に実装されたＬＥＤ３０とを有する。ＬＥＤ３０は、表面実装型（いわゆるチップ型）の素子であり、基板２８または他の基板に実装される点灯回路（不図示）から電力の供給を受けて点灯する。本実施形態では、基板２８に複数のＬＥＤ３０が配列された例を示すが、ＬＥＤ３０の数は任意である。また、ＬＥＤ３０として、透光性を有する樹脂に封入された、いわゆる砲弾型のＬＥＤを用いることも可能である。また、ＬＥＤ３０は基板２８以外のブラケット等に固定して使用してもよいし、ＬＥＤ３０の周囲にリフレクタを設けてもよい。
【００３６】
図４（Ａ）に示すように、ＬＥＤモジュール２６は、カバー前部２４Ａよりも後方に配置される。より詳細には、図４（Ｂ）に示すように、ＬＥＤ３０の位置は、スリット２２Ｅよりも後方である。
【００３７】
カバー前部２４Ａは、ケース２２の前面２２Ａに沿うように略板状に形成され、一対の腕部２４Ｂが立設されている。また、腕部２４Ｂには突起２４Ｃが設けられる。
腕部２４Ｂは、カバー２４をケース２２に取り付けた状態で、カバー前部２４Ａから後方側（ＲＲ側）に延設される。また、右側の腕部２４Ｂに設けられる突起２４Ｃは、右側に突出し、左側の腕部２４Ｂに設けられる突起２４Ｃは左側に突出する。つまり、図４（Ｂ）に示すように、一対の腕部２４Ｂは、それぞれ外側に突出する突起２４Ｃを備える。
【００３８】
腕部２４Ｂは、カバー２４をケース２２に取り付ける際に、開口部２２Ｂからケース２２の内部に挿入される。一対の腕部２４Ｂは、それぞれ、側面２２Ｄの内面に沿って挿入され、突起２４Ｃがケース２２内部からスリット２２Ｅに嵌合することでカバー２４の取り付けが完了する。この状態で、カバー２４は、突起２４Ｃがスリット２２Ｅに係合することにより、ケース２２に固定される。このように、カバー２４は、簡単な作業によりケース２２に取り付け可能であり、シンプルな構成によりカバー２４を脱落不能に固定できる。また、ケース２２の内面には受け部２２Ｈが形成されている。カバー２４をケース２２に取り付ける際に、腕部２４Ｂの先端を受け部２２Ｈに突き当てることにより、容易に、かつ確実に、突起２４Ｃの位置をスリット２２Ｅの位置に合わせることができる。受け部２２Ｈを設けることで、カバー２４のがたつきを、より確実に防止する効果も期待できる。
【００３９】
ＬＥＤ３０の放射光は、カバー前部２４Ａ、腕部２４Ｂ及び突起２４Ｃを透過して放射される。ここで、ＬＥＤ３０の放射光は、カバー前部２４Ａを透過する際に、下向きに屈折する。
【００４０】
図４（Ａ）に示すように、カバー前部２４Ａの外面２４ＡＦは、前面２２Ａに対応する下向きの傾斜面である。これに対し、カバー前部２４Ａの内面２４ＡＲは、例えば鉛直面ＶＰ２（図３（Ｂ））に平行な面である。つまり、カバー前部２４Ａは、台形の断面形状となるよう構成され、内面２４ＡＲに対し外面２４ＡＦが、相対的に下向きに傾斜している。図では内面２４ＡＲは鉛直面ＶＰ２（図３（Ｂ））に平行な面として示すが、この構成に限定されず、内面２４ＡＲに対し外面２４ＡＦが傾斜していれば、内面２４ＡＲの角度は任意である。
【００４１】
カバー前部２４Ａを、ＬＥＤ３０側に位置する入射面である内面２４ＡＲに対し、外側に位置する出射面である外面２４ＡＦが下向きに傾いた構成とすることで、ＬＥＤ３０からカバー前部２４Ａに入射する光が下向きに屈折される。例えば、図４（Ａ）に符号Ｌ２で示すように、ＬＥＤ３０の正面方向の放射光はカバー前部２４Ａを透過する際に下向きに屈折する。また、符号Ｌ３で示すように、ＬＥＤ３０の下向きの放射光は、カバー前部２４Ａを透過する際に、より下向きに屈折する。また、符号Ｌ１で示すように、ＬＥＤ３０の上向きの放射光は、カバー前部２４Ａを透過する際に下向きに屈折し、正面方向または斜め下向きに放射される。このように、カバー前部２４ＡがＬＥＤ３０の光を下向きに屈折させるため、ＬＥＤ３０の放射光は全体として下向きに集められて放射される。
【００４２】
また、図４（Ｂ）に符号Ｌ１３で示すように、ＬＥＤ３０が発する光の一部は腕部２４Ｂに入射し、突起２４Ｃを透過して、スリット２２Ｅから前照灯２０の側方に向けて照明光として放射される。ここで、カバー前部２４Ａと同様に、腕部２４Ｂ及び突起２４Ｃの断面形状を台形として、スリット２２Ｅから放射する放射光を下向きに屈折させてもよい。この場合、ＬＥＤ３０の放射光が腕部２４Ｂ及び突起２４Ｃを透過する際に下向きに屈折して、側面２４Ｄから下向きに照明光を照射できる。
【００４３】
この構成によれば、前照灯２０が、前面２２Ａから下向きに照明光を照射できる。また、側面２２Ｄから下向きに照明光を照射する構成とすることも可能である。従って、前照灯２０から異なる方向（前照灯２０の前方と側方）に、下向きの光を照射できる構成を、容易に実現できる。
【００４４】
また、カバー前部２４Ａの外面２４ＡＦを、左右方向において湾曲する面とすることにより、ＬＥＤ３０の放射光を左右方向に拡散させる効果が期待できる。
詳細には、図４（Ｂ）に示すように、外面２４ＡＦを、左右方向における中央部２４ＡＣよりも端部２４ＡＳが後方となるように、湾曲した面とする。この場合、ケース２２の前面２２Ａも外面２４ＡＦと同様に湾曲していることが好ましい。また、内面２４ＡＲは、例えば湾曲を有しない平面とすることができるが、少なくとも、カバー前部２４Ａの端部２４ＡＳにおいて、内面２４ＡＲと外面２４ＡＦとが傾きを有していればよい。
【００４５】
例えば、符号Ｌ１１で示すように、ＬＥＤ３０からカバー前部２４Ａの中央部２４ＡＣに向けて放射された光は、直進方向に放射される。一方、符号Ｌ１２で示すように、ＬＥＤ３０から左右の端部２４ＡＳに向けて放射された光は、左右方向に拡がるように屈折して放射される。この構成では、作業機１０の左右方向に照明光を拡散させて、より広範囲を照明できる。
【００４６】
なお、図４（Ａ）及び図４（Ｂ）に示したようにカバー前部２４Ａで光を屈折させる効果を、例えば、内面２４ＡＲにカッティングを施すことにより、光を屈折させてもよい。
【００４７】
前照灯２０において、カバー前部２４Ａ（外面２４ＡＦ）を含む前面２２Ａを、下向きに傾斜する面としたことで、カバー前部２４Ａに雪が付着しても、この雪は自重により脱落しやすい。さらに、前面２２Ａの上端が前方に突出し、庇として機能するので、降雪や除雪作業により巻き上げられた雪が庇により遮られ、カバー前部２４Ａへの着雪を抑制または防止できる。また、カバー前部２４Ａを含む前面２２Ａの全体が下向きに傾斜しているので、カバー前部２４Ａの周縁部における着雪をも抑制することが可能である。さらに、カバー前部２４Ａを含む前面２２Ａの全体が、突起や凹凸を有しない平坦な面で構成されるため、この面への着雪をより効果的に抑制できる。
従って、ケース２２の前面２２Ａからの照明光が着雪により遮られる状態を、効果的に抑制または回避できる。
【００４８】
また、ケース２２は、側面２２Ｄに開口するスリット２２Ｅを有し、スリット２２Ｅを通じて照明光を放射できる。ケース２２の側面２２Ｄは、スリット２２Ｅに嵌合する突起２４Ｃの表面とともに、下向きの傾斜を有する面を構成する。このため、前面２２Ａと同様に、側面２２Ｄへの着雪を効果的に抑制でき、スリット２２Ｅからの照明光が着雪により遮られる状態を抑制または回避できる。
【００４９】
この構成により、降雪時や除雪作業時に、前照灯２０の照明光が着雪の影響で減光する状態を回避でき、除雪作業部１４及び機体１１の側方を、十分な明るさで照明することができる。また、前照灯２０の雪を除去する等の作業が必要ないので、作業効率の向上を図ることができる。
【００５０】
一般に、作業機の照明として利用される光源のうち、ハロゲンランプ等のランプ類は発熱量が大きく、これに対し、ＬＥＤ３０等の固体光源やＨＩＤ等の放電管光源は発熱量が低いことが知られている。降雪環境で使用される作業機の光源としてランプ類を用いた場合、光源の発熱による融雪効果が期待できるが、固体光源や放電管光源を用いた場合は、融雪効果を期待しにくいので、着雪への対策を施すことが望まれる。本実施形態の前照灯２０は、光源の種類によらず、着雪による光量の減少を抑制できるので、前照灯２０に採用する光源の種類について制約がない。このため、例えば、固体光源や放電管光源を採用することで消費電力の低減を図ることができる。
【００５１】
図５は、作業機１０の平面図であり、図６は作業機１０の斜視図である。
これら図５及び図６において、前照灯２０が放射する照明光を矢印で示す。
前照灯２０は、除雪作業部１４よりも上方、かつ後方に配置され、作業機１０の前方を向くように配置され、作業機１０の進行方向（Ｆｒ）に向けて照明光を照射するので、除雪作業部１４を含む範囲の視界を良好に保つことができる。また、図４（Ｂ）を参照して説明したように、前照灯２０の照明光は左右方向に拡散して照射されるため、シュータ４５による投雪方向を照らすこともでき、より広い視界を確保できる。
【００５２】
また、図５に示すように、前照灯２０は、機体１１の左右方向においてシュータ４５からずれた位置にある。このため、前照灯２０の照明光がシュータ４５により遮られる範囲は小さく、シュータ４５を避けて効果的に照明光を照射できる。
【００５３】
さらに、前照灯２０は、作業機１０の前後方向において、走行装置１３に重なる位置にある。言い換えれば、前照灯２０の左右に走行装置１３が位置する。このため、前照灯２０がスリット２２Ｅから放射する照明光により、走行装置１３の側方を含む範囲が照らされる。これにより、走行装置１３の側方の視認性を高めることができるので、例えば作業機１０の走行時や旋回時に、作業者が安全確認を行いやすくなることが期待できる。従って、作業機１０の操縦性及び作業性の向上を図ることができる。また、スリット２２Ｅからの照明光により、作業機１０の周囲にいる歩行者等に、作業機１０が動作中であることを報知する効果が期待できる。
【００５４】
以上説明したように、本実施の形態では、前照灯２０を備えた作業機１０を説明した。前照灯２０は、ＬＥＤモジュール２６と、ＬＥＤモジュール２６を収容するケース２２と、ケース２２の一面に配置された透光性のカバー２４と、を有し、ケース２２においてカバー２４が配置された前面２２Ａは、平坦であり、下向きに傾斜した面である。
この構成によれば、前照灯２０のカバー２４への着雪を抑制することができ、着雪により照明光が遮られる状態を回避できる。このため、前照灯２０への着雪によって照明光が遮られにくい、除雪機としての作業機１０を実現できる。これにより、作業機１０の走行時、及び、作業機１０による作業時に、作業者の視界を良好に保つことができ、作業性の向上を図ることができる。
【００５５】
また、カバー２４は、ＬＥＤモジュール２６側から入射する光を下向きに屈折させて出射する。
この構成によれば、ＬＥＤモジュール２６が発する光をカバー２４により下向きに屈折させて照射することができる。このため、作業機１０において前照灯２０より下方を中心として、効果的に照明することができる。
【００５６】
また、カバー２４はケース２２の前面２２Ａに配置され、ケース２２の側面２２Ｄに、ＬＥＤモジュール２６が発する光を出射するスリット２２Ｅが設けられている。
この構成によれば、前面２２Ａの開口部２２Ｂ（カバー前部２４Ａ）、及び、側面２２Ｄに設けられたスリット２２Ｅから、光を照射できる。これにより、前照灯２０から複数の方向に光を照射し、作業機１０の周囲の広い範囲を照明することができる。
【００５７】
また、カバー２４はケース２２内部に挿入される突起２４Ｃを備え、突起２４Ｃは、ケース２２の内部からスリット２２Ｅに嵌合して、カバー２４をケース２２に固定する。これにより、簡易な構成によってカバー２４をケース２２に固定できる。
【００５８】
また、スリット２２Ｅが形成された側面２２Ｄは、平坦であり、下向きに傾斜した面である。これにより、側面２２Ｄへの着雪を抑制することができ、スリット２２Ｅから照射される照明光が着雪で遮られる状態を回避できる。
【００５９】
また、作業機１０は、機体１１の前部に除雪作業部１４を備え、前照灯２０は、除雪作業部１４を含む範囲を照明する。これにより、除雪作業部１４を含む範囲の視認性を高めることができる。
【００６０】
上記の実施形態は、あくまでも本発明の一実施の態様であり、本発明の趣旨を逸脱しない範囲で任意に変形、及び応用が可能である。
例えば、カバー２４は、透光性を有するものであればよく、無色透明なもの、或いは、黄色や白色等の有色のものであってもよい。また、前照灯２０の光源は固体光源や放電管光源に限定されず、ハロゲンランプや電球を用いることも可能である。この場合、これらの光源からの高い放熱量が見込まれることに対応して、ケース２２を金属で構成してもよい。
【００６１】
また、前照灯２０が発する光の色や波長について制限はなく、例えば降雪中に好適とされる黄色光を発する構成としてもよい。また、前照灯２０が前面２２Ａから照射する照明光と、スリット２２Ｅから照射する照明光とを異なる色の光としてもよい。照明光の色を任意の色とするため、カバー２４により照明光の色を変化させてもよいし、ＬＥＤモジュール２６等の光源が発する光の色を変更してもよい。
また、前照灯２０を支持する構造は一対のアーム１７に限定されず、１本のアーム１７で支持してもよいし、その他の部材により前照灯２０を固定してもよい。また、前照灯２０を、作業機１０に取り付けた状態で、左右方向に回動可能な構成としてもよい。
【００６２】
また、本発明は、オーガ４３を有するオーガ式の除雪機に限定されず、ドーザ式の除雪機に適用することも可能であり、除雪機の大きさ、走行方式、駆動源の種類等を問わず本発明を適用できる。
【符号の説明】
【００６３】
１０  作業機（除雪機）
１１  機体（本体）
１２  動力源
１３  走行装置
１４  除雪作業部
１５  操作パネル
１６  操作ハンドル
１７  アーム
２０  前照灯（照明部）
２２  ケース
２２Ａ  前面
２２Ｂ  開口部
２２Ｃ  上面
２２Ｄ  側面
２２Ｅ  スリット
２２Ｆ  背面
２２Ｇ  底面
２２Ｈ  受け部
２４  カバー
２４Ａ  カバー前部
２４ＡＦ  外面
２４ＡＲ  内面
２４ＡＣ  中央部
２４ＡＳ  端部
２４Ｂ  腕部
２４Ｃ  突起（突出部）
２６  ＬＥＤモジュール（光源）
２８  基板
３０  ＬＥＤ
【図１】
2019027108.tif 000003
【図２】
2019027108.tif 000004
【図３】
2019027108.tif 000005
【図４】
2019027108.tif 000006
【図５】
2019027108.tif 000007
【図６】
2019027108.tif 000008